(57)【要約】【課題】可動部材を回動させて回動角度を無段階で調整して固定することが可能な回動角度調整装置を提供することである。【解決手段】回動角度調整装置１は、棒体１０の周りに回動可能なアーム２０およびラッチ５０と、棒体３０の周りに回動可能なアーム角度規制部材４０と、アーム角度規制部材４０の一方向への回動を付勢する引張バネ６０とを備える。曲面部分２２以外の外周面２１を第２の係止爪部５３に係合させてラッチ５０を逆方向へ回動させることにより、曲面部分２２に引張バネ６０の付勢により曲面部分４２を当接させ、係止溝４３に第１の係止爪部５２を係合させてラッチ５０を一方向に回動させるとともにアーム角度規制部材４０を引張バネ６０の付勢に抗して逆の方向へ回動させることにより、曲面部分２２を曲面部分４２に当接させないようにすることができる。【選択図】        図１
2006322467.tif 000002
【特許請求の範囲】
【請求項１】
第１の回動軸と、
この第１の回動軸の周りに回動可能に配置され、この回動方向に沿った外周面を有する第１の可動部材と、
第２の回動軸と、
この第２の回動軸の周りに回動可能に配置され、この回動方向に沿った外周面を有する第２の可動部材と、
前記第１の回動軸の周りに回動可能に配置され、この回動方向に沿った外周面を有する係止部材と、
前記第２の可動部材の一方向への回動を付勢するように前記第２の可動部材に取り付けられた付勢部材とを備え、
前記第１の可動部材の外周面と前記第２の可動部材の外周面とが当接可能に前記第１の回動軸と前記第２の回動軸とが離隔して配置されており、
前記第１の可動部材の外周面は、前記第１の回動軸の軸線に対して平行でかつ前記第１の回動軸の軸線から離れた位置にある軸線を中心とした第１の円弧に沿って形成された曲面部分を有し、
前記第２の可動部材の外周面は、前記第２の回動軸の軸線に対して平行でかつ前記第２の回動軸の軸線から離れた位置にある軸線を中心とした第２の円弧に沿って形成された曲面部分と、係止溝とを有し、
前記第１の円弧は、一方向と逆の方向へ向かうにつれて前記第１の回動軸の軸線からの距離が小さくなるように形成され、
前記第２の円弧は、一方向へ向かうにつれて前記第２の回動軸の軸線からの距離が小さくなるように形成され、
前記係止部材の外周面は、前記第２の可動部材の係止溝に係合するように配置された第１の係止爪部と、前記第１の可動部材の曲面部分以外の外周面に係合可能に配置された第２の係止爪部とを有しており、
前記第１の可動部材の曲面部分以外の外周面を前記係止部材の第２の係止爪部に係合させて前記係止部材を一方向と逆の方向へ回動させることにより、前記第１の可動部材の曲面部分に前記付勢部材の付勢により前記第２の可動部材の曲面部分を当接させることができ、かつ、
前記第２の可動部材の係止溝に前記係止部材の第１の係止爪部を係合させて前記係止部材を一方向に回動させるとともに前記第２の可動部材を前記付勢部材の付勢に抗して一方向と逆の方向へ回動させることにより、前記第１の可動部材の曲面部分を前記第２の可動部材の曲面部分に当接させないようにすることができる、回動角度調整装置。
【請求項２】
前記第１の回動軸と前記第２の回動軸とを支持する支持部材をさらに備え、前記付勢部材が前記支持部材に取り付けられている、請求項１に記載の回動角度調整装置。
【請求項３】
前記付勢部材により前記第２の可動部材の一方向への回動が付勢され、前記係止溝と前記第１の係止爪部との係合によって前記第２の可動部材が前記係止部材を一方向と逆の方向へ回動させないように前記支持部材は前記係止部材を保持している、請求項２に記載の回動角度調整装置。
【請求項４】
前記係止部材と前記支持部材との間の摩擦力を高めるための部材をさらに備える、請求項３に記載の回動角度調整装置。
【請求項５】
前記第２の可動部材の外周面は、前記第１の可動部材の一方向への回動範囲を限定するために前記第１の可動部材の外周面に当接して係止する第１の係止部と、前記第１の可動部材の一方向と逆の方向への回動範囲を限定するために前記第１の可動部材の外周面に当接して係止する第２の係止部とを有する、請求項１から請求項４までのいずれか１項に記載に回動角度調整装置。
【請求項６】
前記第１の可動部材の曲面部分に前記付勢部材の付勢により前記第２の可動部材の曲面部分を当接させるために前記第２の可動部材を一方向へ回動させ、かつ、前記第１の可動部材の曲面部分を前記第２の可動部材の曲面部分に当接させないようにするために前記第２の可動部材を前記付勢部材の付勢に抗して一方向と逆の方向へ回動させるためのレバーが前記第２の可動部材に取り付けられている、請求項１から請求項５までのいずれか１項に記載の回動角度調整装置。
【請求項７】
前記第１の可動部材の曲面部分には、当該曲面部分に沿って複数の歯部が配列されて形成されている、請求項１から請求項６までのいずれか１項に記載の回動角度調整装置。
【請求項８】
座部と背もたれ部とを備えた座椅子であって、
第１の回動軸と、
この第１の回動軸の周りに回動可能に配置され、この回動方向に沿った外周面を有する、前記背もたれ部に取り付けられた第１の可動部材と、
第２の回動軸と、
この第２の回動軸の周りに回動可能に配置され、この回動方向に沿った外周面を有する第２の可動部材と、
前記第１の回動軸の周りに回動可能に配置され、この回動方向に沿った外周面を有する係止部材と、
前記第１の回動軸と前記第２の回動軸とを支持する、前記座部に取り付けられた支持部材と、
前記第２の可動部材の一方向への回動を付勢するように前記支持部材と前記第２の可動部材との間に取り付けられた付勢部材とを備え、
前記第１の可動部材の外周面と前記第２の可動部材の外周面とが当接可能に前記第１の回動軸と前記第２の回動軸とが離隔して配置されており、
前記第１の可動部材の外周面は、前記第１の回動軸の軸線に対して平行でかつ前記第１の回動軸の軸線から離れた位置にある軸線を中心とした第１の円弧に沿って形成された曲面部分を有し、
前記第２の可動部材の外周面は、前記第２の回動軸の軸線に対して平行でかつ前記第２の回動軸の軸線から離れた位置にある軸線を中心とした第２の円弧に沿って形成された曲面部分と、係止溝とを有し、
前記第１の円弧は、一方向と逆の方向へ向かうにつれて前記第１の回動軸の軸線からの距離が小さくなるように形成され、
前記第２の円弧は、一方向へ向かうにつれて前記第２の回動軸の軸線からの距離が小さくなるように形成され、
前記係止部材の外周面は、前記第２の可動部材の係止溝に係合するように配置された第１の係止爪部と、前記第１の可動部材の曲面部分以外の外周面に係合可能に配置された第２の係止爪部とを有しており、
前記第１の可動部材の曲面部分以外の外周面を前記係止部材の第２の係止爪部に係合させて前記係止部材を一方向と逆の方向へ回動させることにより、前記第１の可動部材の曲面部分に前記付勢部材の付勢により前記第２の可動部材の曲面部分を当接させることができ、かつ、
前記第２の可動部材の係止溝に前記係止部材の第１の係止爪部を係合させて前記係止部材を一方向に回動させるとともに前記第２の可動部材を前記付勢部材の付勢に抗して一方向と逆の方向へ回動させることにより、前記第１の可動部材の曲面部分を前記第２の可動部材の曲面部分に当接させないようにすることができる、座椅子。
【発明の詳細な説明】
【技術分野】
【０００１】
この発明は、回動角度調整装置とそれを備えた座椅子に関し、たとえば、座椅子の座部と背もたれ部との間の開閉角度を調整するために用いられる回動角度調整装置に関するものである。
【背景技術】
【０００２】
この種の回動角度調整装置は、従来から、図１２に示されるような構造を有する。図１２に示されるように、和室で使用される座椅子には、座部１００に対して背もたれ部２００の傾斜角度を調整することができるように角度調整装置２が設けられている。角度調整装置２は、座部１００の両側部を支持するように設けられたパイプ２０１と背もたれ部２００の両側部を支持するように設けられたパイプ２０２との端部を接続するように構成されている。
【０００３】
角度調整装置２に適用される開閉角度調節機構は、たとえば、特開平９−２９９１７３号公報、特開平１１−３７１３９号公報、特開２００１−３４９３５１号公報等に開示されているようにラチェット機構を採用している。
【０００４】
このような開閉角度調節機構においては、通常、座椅子の使用者が背もたれ部２００を座部１００に対して所望の角度に固定して使用している状態では、背もたれ部２００は座部１００の設置面側（図１２では下面側）に向かう方向に（図１２では時計回りの方向に）回動せず、座部１００の座面側（図１２では上面側）に向かう方向に（図１２では反時計回りの方向に）のみ回動できるように構成されている。この状態で背もたれ部２００を座部１００の座面側に回動させると、ラチェット歯の溝と係止爪とが順次係合して背もたれ部２００の所定の段階的な傾斜角度を得ることができる。そして、さらに背もたれ部２００を座部１００の座面側に倒していくと、ラチェット機構が解除される。ラチェット機構が解除されると、背もたれ部２００は、図１２において反時計回り、または時計回りのいずれの方向にも回動自在になる。しかし、背もたれ部２００を座部１００の設置面側に向かう方向に大きく回動させていくと、ラチェット機構が作用するようになる。そして、もとの状態と同じようにして、背もたれ部２００を座部１００の座面側に回動させながら、所定の角度でラチェット歯の溝と係止爪とが係合して傾斜角度を段階的に固定することができる。
【０００５】
しかしながら、このような従来の開閉角度調節機構の場合、背もたれ部２００を座部１００の座面側に向かう方向に回動させて背もたれ部２００の傾斜角度を順次、所定の段階ごとに調整することができるだけである。このため、従来の開閉角度調節機構では、背もたれ部２００を回動させて任意の所望の角度に無段階で調整して固定することができないという問題があった。
【特許文献１】特開平９−２９９１７３号公報
【特許文献２】特開平１１−３７１３９号公報
【特許文献３】特開２００１−３４９３５１号公報
【発明の開示】
【発明が解決しようとする課題】
【０００６】
そこで、この発明の一つの目的は、可動部材を回動させて回動角度を無段階で調整して固定することが可能な回動角度調整装置を提供することである。
【０００７】
また、この発明のもう一つの目的は、背もたれ部を回動させてその傾斜角度を無段階で調整して固定することができるとともに、座椅子の座部と背もたれ部との間の開閉角度を無段階で調整するのに適した回動角度調整装置を提供することである。
【課題を解決するための手段】
【０００８】
この発明に従った回動角度調整装置は、第１の回動軸と、この第１の回動軸の周りに回動可能に配置され、この回動方向に沿った外周面を有する第１の可動部材と、第２の回動軸と、この第２の回動軸の周りに回動可能に配置され、この回動方向に沿った外周面を有する第２の可動部材と、第１の回動軸の周りに回動可能に配置され、この回動方向に沿った外周面を有する係止部材と、第２の可動部材の一方向への回動を付勢するように第２の可動部材に取り付けられた付勢部材とを備える。第１の可動部材の外周面と第２の可動部材の外周面とが当接可能に第１の回動軸と第２の回動軸とが離隔して配置されている。第１の可動部材の外周面は、第１の回動軸の軸線に対して平行でかつ第１の回動軸の軸線から離れた位置にある軸線を中心とした第１の円弧に沿って形成された曲面部分を有する。第２の可動部材の外周面は、第２の回動軸の軸線に対して平行でかつ第２の回動軸の軸線から離れた位置にある軸線を中心とした第２の円弧に沿って形成された曲面部分と、係止溝とを有する。第１の円弧は、一方向と逆の方向へ向かうにつれて第１の回動軸の軸線からの距離が小さくなるように形成され、第２の円弧は、一方向へ向かうにつれて第２の回動軸の軸線からの距離が小さくなるように形成されている。係止部材の外周面は、第２の可動部材の係止溝に係合するように配置された第１の係止爪部と、第１の可動部材の曲面部分以外の外周面に係合可能に配置された第２の係止爪部とを有している。第１の可動部材の曲面部分以外の外周面を係止部材の第２の係止爪部に係合させて係止部材を一方向と逆の方向へ回動させることにより、第１の可動部材の曲面部分に付勢部材の付勢により第２の可動部材の曲面部分を当接させることができる。また、第２の可動部材の係止溝に係止部材の第１の係止爪部を係合させて係止部材を一方向に回動させるとともに第２の可動部材を付勢部材の付勢に抗して一方向と逆の方向へ回動させることにより、第１の可動部材の曲面部分を第２の可動部材の曲面部分に当接させないようにすることができる。
【０００９】
この発明に従った回動角度調整装置は上述のように構成されているので、第１の可動部材の曲面部分以外の外周面を係止部材の第２の係止爪部に係合させて係止部材を一方向と逆の方向へ回動させることにより、第１の可動部材の曲面部分に付勢部材の付勢により第２の可動部材の曲面部分を当接させることができる。このとき、第２の可動部材は第２の回動軸の軸線の周りで一方向に回動するように付勢されているので、第１の可動部材を一方向へ回動させても、第１の可動部材の曲面部分が第２の可動部材の曲面部分に当接した状態のままである。
【００１０】
ここで、第１の可動部材の外周面は、第１の回動軸の軸線に対して平行でかつ第１の回動軸の軸線から離れた位置にある軸線を中心とした第１の円弧に沿って形成された曲面部分を有し、第１の円弧は、一方向と逆の方向へ向かうにつれて第１の回動軸の軸線からの距離が小さくなるように形成されている。第２の可動部材の外周面は、第２の回動軸の軸線に対して平行でかつ第２の回動軸の軸線から離れた位置にある軸線を中心とした第２の円弧に沿って形成された曲面部分を有し、第２の円弧は、一方向へ向かうにつれて第２の回動軸の軸線からの距離が小さくなるように形成されている。
【００１１】
このように第１と第２の可動部材の曲面部分が形成されているので、上記の当接した状態が保持されることにより、第２の可動部材は、第１の可動部材の一方向への回動を許容するが、一方向と逆の方向への回動を阻止する。この場合、第１の可動部材を一旦一方向へ回動させると、その変更された回動角度から逆の方向へ回動させることができないので、一方向へ回動させるごとに所望の角度位置で固定することができる。したがって、第１の可動部材を一方向へ回動させて無段階で回動角度を調整して固定することができる。
【００１２】
また、この発明に従った回動角度調整装置は上述のように構成されているので、第２の可動部材の係止溝に係止部材の第１の係止爪部を係合させて係止部材を一方向に回動させるとともに第２の可動部材を付勢部材の付勢に抗して一方向と逆の方向へ回動させることにより、第１の可動部材の曲面部分を第２の可動部材の曲面部分に当接させないようにすることができる。これにより、第１の可動部材をいずれの方向にも回動させることができるので、第１の可動部材を無段階で一方向へ調整して固定する動作を解除することができる。
【００１３】
この発明の回動角度調整装置は、第１の回動軸と第２の回動軸とを支持する支持部材をさらに備え、付勢部材が支持部材に取り付けられているのが好ましい。
【００１４】
この場合、付勢部材により第２の可動部材の一方向への回動が付勢され、係止溝と第１の係止爪部との係合によって第２の可動部材が係止部材を一方向と逆の方向へ回動させないように支持部材は係止部材を保持しているのが好ましい。このようにすることにより、第２の可動部材の回動によって係止部材が回動しないで、第１の可動部材の回動によって係止部材が回動するように構成することができる。
【００１５】
さらにこの場合、この発明の回動角度調整装置は、係止部材と支持部材との間の摩擦力を高めるための部材をさらに備えるのが好ましい。この場合、この摩擦力の作用によって、係止部材が第２の可動部材の回動にともなって回動しないようにすることができ、第１の可動部材の回動にともなって回動することができるように構成することができる。
【００１６】
また、この発明の回動角度調整装置においては、第２の可動部材の外周面は、第１の可動部材の一方向への回動範囲を限定するために第１の可動部材の外周面に当接して係止する第１の係止部と、第１の可動部材の一方向と逆の方向への回動範囲を限定するために第１の可動部材の外周面に当接して係止する第２の係止部とを有するのが好ましい。
【００１７】
この場合、第１の可動部材を一方向へ回動させると、第２の可動部材の第１の係止部に第１の可動部材の外周面が当接して係止することにより、第１の可動部材が一方向へある限定された範囲まで回動し、次に第２の可動部材の係止溝に係止部材の第１の係止爪部を係合させて係止部材を一方向に回動させることができる。これにより、第２の可動部材を付勢部材の付勢に抗して一方向と逆の方向へ回動させることができる。一方、第２の係止部により、第１の可動部材は逆の方向へある限定された範囲を越えて回動しないようにすることができる。
【００１８】
さらに、この発明の回動角度調整装置においては、第１の可動部材の曲面部分に付勢部材の付勢により第２の可動部材の曲面部分を当接させるために第２の可動部材を一方向へ回動させ、かつ、第１の可動部材の曲面部分を第２の可動部材の曲面部分に当接させないようにするために第２の可動部材を付勢部材の付勢に抗して一方向と逆の方向へ回動させるためのレバーが第２の可動部材に取り付けられているのが好ましい。この場合、レバーを用いて、第１の可動部材を一方向へ回動させて無段階で調整して固定することができる状態と、この状態を解除し、第１の可動部材をいずれの方向にも回動させることができる状態との切り換えを容易に行うことができる。
【００１９】
この発明の回動角度調整装置においては、第１の可動部材の曲面部分には、当該曲面部分に沿って複数の歯部が配列されて形成されているのが好ましい。この場合、第１の可動部材の曲面部分が第２の可動部材の曲面部分に当接した状態を強固に保持することができる。
【００２０】
この発明に従った座椅子は、座部と、背もたれ部と、第１の回動軸と、この第１の回動軸の周りに回動可能に配置され、この回動方向に沿った外周面を有する、背もたれ部に取り付けられた第１の可動部材と、第２の回動軸と、この第２の回動軸の周りに回動可能に配置され、この回動方向に沿った外周面を有する第２の可動部材と、第１の回動軸の周りに回動可能に配置され、この回動方向に沿った外周面を有する係止部材と、第１の回動軸と第２の回動軸とを支持する、座部に取り付けられた支持部材と、第２の可動部材の一方向への回動を付勢するように支持部材と第２の可動部材との間に取り付けられた付勢部材とを備える。第１の可動部材の外周面と第２の可動部材の外周面とが当接可能に第１の回動軸と第２の回動軸とが離隔して配置されている。第１の可動部材の外周面は、第１の回動軸の軸線に対して平行でかつ第１の回動軸の軸線から離れた位置にある軸線を中心とした第１の円弧に沿って形成された曲面部分を有する。第２の可動部材の外周面は、第２の回動軸の軸線に対して平行でかつ第２の回動軸の軸線から離れた位置にある軸線を中心とした第２の円弧に沿って形成された曲面部分と、係止溝とを有する。第１の円弧は、一方向と逆の方向へ向かうにつれて第１の回動軸の軸線からの距離が小さくなるように形成され、第２の円弧は、一方向へ向かうにつれて第２の回動軸の軸線からの距離が小さくなるように形成されている。係止部材の外周面は、第２の可動部材の係止溝に係合するように配置された第１の係止爪部と、第１の可動部材の曲面部分以外の外周面に係合可能に配置された第２の係止爪部とを有する。第１の可動部材の曲面部分以外の外周面を係止部材の第２の係止爪部に係合させて係止部材を一方向と逆の方向へ回動させることにより、第１の可動部材の曲面部分に付勢部材の付勢により第２の可動部材の曲面部分を当接させることができる。また、第２の可動部材の係止溝に係止部材の第１の係止爪部を係合させて係止部材を一方向に回動させるとともに第２の可動部材を付勢部材の付勢に抗して一方向と逆の方向へ回動させることにより、第１の可動部材の曲面部分を第２の可動部材の曲面部分に当接させないようにすることができる。
【００２１】
この発明の座椅子においては、背もたれ部を一方向へ回動させて無段階で回動角度を調整して固定することができる。
【発明の効果】
【００２２】
以上のように、この発明によれば、可動部材を回動させて回動角度を無段階で調整して固定することが可能な回動角度調整装置を得ることができる。
【００２３】
また、背もたれ部を回動させてその傾斜角度を無段階で調整して固定することが可能な座椅子を得ることができる。
【発明を実施するための最良の形態】
【００２４】
図１は本発明の一つの実施の形態として回動角度調整装置を示す分解斜視図、図２は回動角度調整装置における第１と第２の可動部材の曲面部分の形状を示す側面図、図３はその機構を示す側面図、図４は平面図である。
【００２５】
図１と図３に示すように、回動角度調整装置１は、第１の回動軸としての棒体１０と、棒体１０の周りに回動可能に配置された第１の可動部材としてのアーム２０と、第２の回動軸としての棒体３０と、棒体３０の周りに回動可能に配置された第２の可動部材としてのアーム角度規制部材４０と、棒体１０の周りに回動可能に配置された係止部材としてのラッチ５０と、アーム角度規制部材４０の一方向（図２にて矢印Ｐで示される方向）への回動を付勢する付勢部材としての引張バネ６０と、支持部材としてのフレーム７０とから構成されている。
【００２６】
棒体１０は、フレーム７０の軸孔７１に挿入されて固定されている。棒体３０は、フレーム７０の軸孔７２に挿入されて固定されている。したがって、フレーム７０は棒体１０と棒体３０とを支持している。
【００２７】
アーム２０は、棒体１０の周りでの回動方向に沿った外周面２１を有する。外周面２１は、第１の回動軸としての棒体１０の軸線に対して平行で、かつ、棒体１０の軸線から離れた位置にある軸線１１（図２）を中心とした第１の円弧に沿って形成された曲面部分２２を有する。曲面部分２２には、曲面部分２２に沿って複数の歯部２３が配列されて形成されている。アーム２０の軸孔２４には棒体１０が挿入される。
【００２８】
アーム角度規制部材４０は、棒体３０の周りでの回動方向に沿った外周面４１を有する。外周面４１は、第２の回動軸としての棒体３０の軸線に対して平行で、かつ、棒体３０の軸線から離れた位置にある軸線３１を中心とした第２の円弧に沿って形成された曲面部分４２と、係止溝４３とを有する。また、外周面４１は、アーム２０の一方向（図３にて矢印Ｐで示される方向）への回動範囲を限定するためにアーム２０の外周面２１に当接して係止する第１の係止部としてのストッパ４４と、アーム２０の一方向と逆の方向（図３にて矢印Ｑで示される方向）への回動範囲を限定するためにアーム２０の外周面２１に当接して係止する第２の係止部としてのストッパ４５とを有する。アーム角度規制部材４０の一方端にはレバー９０が取り付けられている。アーム角度規制部材４０の軸孔４６には棒体３０が挿入される。
【００２９】
ここで、図２に示すように、アーム２０の外周面２１は、棒体１０の軸線に対して平行でかつ棒体１０の軸線から離れた位置にある軸線１１を中心とした第１の円弧に沿って形成された曲面部分２２を有する。第１の円弧は、矢印Ｑで示される方向へ向かうにつれて棒体１０の軸線からの距離が、たとえばＲ１からＲ２になるように小さくなるように形成されている。アーム角度規制部材４０の外周面４１は、棒体３０の軸線に対して平行でかつ棒体３０の軸線から離れた位置にある軸線３１を中心とした第２の円弧に沿って形成された曲面部分４２を有する。第２の円弧は、矢印Ｐで示される方向へ向かうにつれて棒体３０の軸線からの距離が、たとえばＲ１からＲ２になるように小さくなるように形成されている。なお、図１、図３、図５〜図１１における軸線３１は、便宜上、図２における軸線３１と異なった位置に示されている。また、図１、図３、図５〜図１１においては軸線１１の位置を示していない。
【００３０】
ラッチ５０は、棒体１０の周りでの回動方向に沿った外周面５１を有する。外周面５１は、アーム角度規制部材４０の係止溝４３に係合するように配置された第１の係止爪部５２と、アーム２０の曲面部分２２以外の外周面２１に係合可能に配置された第２の係止爪部５３とを有する。第１の係止爪部５２と第２の係止爪部５３は、アーム２０に向かって延びた突出片として形成されている。ラッチ５０の軸孔５５には棒体１０が挿入される。
【００３１】
引張バネ６０は、一方端がアーム角度規制部材４０のバネ係止孔４７に引っ掛けられて取り付けられ、他方端がフレーム７０のバネ係止部７３に引っ掛けられて取り付けられている。
【００３２】
図３と図４に示すように、アーム角度規制部材４０が棒体３０の周りで回動することができるようにフレーム７０の内側面の間に配置され、アーム２０が棒体１０の周りで回動することができるようにフレーム７０の内側面の間に配置されている。棒体１０と棒体３０とは、アーム２０の外周面２１とアーム角度規制部材４０の外周面４１とが当接することができるように離隔して配置されている。
【００３３】
アーム２０とフレーム７０の内側面との間にラッチ５０が配置され、ラッチ５０の第１の係止爪部５２がアーム角度規制部材４０の係止溝４３に係合するように配置されている。ラッチ５０はフレーム７０の内側面に接触するように配置され、フレーム７０の内側面との間における摩擦力を高めるために、摩擦部５４がフレーム７０の内側面に向かって突出するように形成され、フレーム７０の内側面が粗面化されている。さらにラッチ５０とフレーム７０の内側面との間における摩擦力を高めるために摩擦部材としてのラッチ圧接バネリング８０がラッチ５０をフレーム７０の内側面に向かって押圧するようにアーム２０とラッチ５０との間に配置されている。このようにして、係止部材としてのラッチ５０には引張バネ６０による付勢力に打ち克つだけの摩擦力が付与されている。
【００３４】
このようにすることによって、図３に示すように、付勢部材としての引張バネ６０によりアーム角度規制部材４０は矢印Ｐで示される方向へ回動するように付勢されても、係止溝４３と第１の係止爪部５２とが係合することによってアーム角度規制部材４０がラッチ５０を矢印Ｑで示される方向へ回動させることがないように、フレーム７０はラッチ５０を保持している。
【００３５】
本発明の回動角度調整装置１は以上のように構成されているので、アーム２０の曲面部分２２以外の外周面２１をラッチ５０の第２の係止爪部５３に係合させてラッチ５０を矢印Ｑで示される方向へ回動させることにより、アーム２０の曲面部分２２に引張バネ６０の付勢によりアーム角度規制部材４０の曲面部分４２を当接させることができる。また、アーム角度規制部材４０の係止溝４３にラッチ５０の第１の係止爪部５２を係合させてラッチ５０を矢印Ｐで示される方向に回動させるとともにアーム角度規制部材４０を引張バネ６０の付勢に抗して矢印Ｑで示される方向へ回動させることにより、アーム２０の曲面部分２２をアーム角度規制部材４０の曲面部分４２に当接させないようにすることができる。
【００３６】
上述のように構成された回動角度調整装置１を用いて回動角度を調整する場合の動作について説明する。
【００３７】
図５〜図１１は、本発明の回動角度調整装置１の動作を順に示す側面図である。
【００３８】
まず、初期状態では、図５に示すように、引張バネ６０の付勢によりアーム角度規制部材４０の曲面部分４２はアーム２０の曲面部分２２に当接した状態にある。このため、アーム２０は矢印Ｐで示される方向には自由に回動させることができるが、引張バネ６０の付勢により矢印Ｑで示される方向には回動させることができないようになっている。ここで、たとえば、水平面とアーム２０とのなす角度θ０は１２度、水平面と第１の係止爪部５２および第２の係止爪部５３の端縁を結ぶ線とのなす角度α０は２２度２６分である。
【００３９】
次に、図６に示すように、アーム２０を矢印Ｐで示す方向に回動させ、たとえば、角度θ（５８度）まで回動させて停止させると、矢印Ｑで示される方向には回動させることができないので、角度θで固定される。
【００４０】
その後、図７に示すように、アーム２０を矢印Ｐで示す方向にさらに回動させ、たとえば、角度θ１（９７度）まで回動させることができる。角度θ０から角度θ１までの角度範囲では、アーム２０を矢印Ｐで示す方向に順次回動させて無段階で所望の角度でアーム２０をフレーム７０に対して固定することができる。
【００４１】
さらに、図８に示すように、アーム２０を矢印Ｐで示す方向にさらに回動させると、アーム角度規制部材４０の係止溝４３にラッチ５０の第１の係止爪部５２を係合させてラッチ５０を矢印Ｐで示される方向に回動させるとともにアーム角度規制部材４０を引張バネ６０の付勢に抗して矢印Ｑで示される方向へ回動させる。このとき、第１の係止爪部５２は矢印Ｒで示される方向に移動し、係止溝４３の壁面を矢印Ｓで示される方向に押圧する。これにより、アーム２０の曲面部分２２にアーム角度規制部材４０の曲面部分４２を当接させないようにすることができる。この場合、摩擦部５４およびラッチ圧接バネリング８０により、ラッチ５０はフレーム７０の内側側面に強く摩擦接触しているため、引張バネ６０による付勢力に打ち克ってラッチ５０が矢印Ｐで示される方向に回動させられているので、ラッチ５０に直接、力を加えない限り、ラッチ５０は元の位置に戻ることはなく、その結果、アーム角度規制部材４０も元の位置に戻らない。アーム２０は、矢印Ｐで示される方向、または、矢印Ｑで示される方向のいずれにも回動させることができるが、矢印Ｐで示される方向への回動は、アーム２０の外周面２１がアーム角度規制部材４０のストッパ４４に当接することにより規制される。この状態では、たとえば、角度α１は１９度２６分である。
【００４２】
そして、図９に示すように、アーム２０を矢印Ｑで示す方向に回動させて、初期の状態すなわち、アーム２０とフレーム７０とがほぼ水平になる状態まで戻すことができる。このとき、たとえば、角度α２は１６度２６分である。
【００４３】
その後、図１０に示すように、アーム２０を矢印Ｑで示す方向に回動させると、アーム２０の曲面部分２２以外の外周面２１がラッチ５０の第２の係止爪部５３に係合する。この状態でラッチ５０を矢印Ｑで示される方向へ回動させると、ラッチ５０の第１の係止爪部５２がアーム角度規制部材４０の係止溝４３の壁面を押圧している力が解放される。これにより、アーム２０の曲面部分２２に第２の可動部材の曲面部分を当接させることができる。このとき、たとえば、角度α１は１９度２６分である。
【００４４】
さらに、図１１に示すように、アーム２０を矢印Ｑで示す方向に回動させると、引張バネ６０の付勢によりアーム角度規制部材４０の曲面部分４２はアーム２０の曲面部分２２に当接した状態になる。このため、アーム２０は矢印Ｐで示される方向には自由に回動させることができるが、引張バネ６０の付勢により矢印Ｑで示される方向には回動させることができないようになる。ここで、たとえば、角度θ０は１２度、角度α０は２２度２６分である。すなわち、回動角度調整装置１は図４で示される初期状態に戻る。なお、この場合、ストッパ４５により、アーム２０は矢印Ｑで示される方向へある限定された範囲を越えて回動しないようになっている。
【００４５】
この発明に従った回動角度調整装置１は上述のように動作するように構成されているので、アーム２０の曲面部分２２以外の外周面２１をラッチ５０の第２の係止爪部５３に係合させてラッチ５０を矢印Ｑで示される方向へ回動させることにより、アーム２０の曲面部分２２に引張バネ６０の付勢によりアーム角度規制部材４０の曲面部分４２を当接させることができる。このとき、アーム角度規制部材４０は棒体３０の軸線の周りで矢印Ｐで示される方向に回動するように付勢されているので、アーム２０を矢印Ｐで示される方向へ回動させても、アーム２０の曲面部分２２がアーム角度規制部材４０の曲面部分４２に当接した状態のままである。
【００４６】
ここで、アーム２０の外周面２１は、棒体１０の軸線に対して平行でかつ棒体１０の軸線から離れた位置にある軸線１１を中心とした第１の円弧に沿って形成された曲面部分２２を有し、第１の円弧は、矢印Ｑで示される方向へ向かうにつれて棒体１０の軸線からの距離が小さくなるように形成されている。アーム角度規制部材４０の外周面４１は、棒体３０の軸線に対して平行でかつ棒体３０の軸線から離れた位置にある軸線３１を中心とした第２の円弧に沿って形成された曲面部分４２を有し、第２の円弧は、矢印Ｐで示される方向へ向かうにつれて棒体３０の軸線からの距離が小さくなるように形成されている。
【００４７】
このようにアーム２０の曲面部分２２とアーム角度規制部材４０の曲面部分４２が形成されているので、上記の当接した状態が保持されることにより、アーム角度規制部材４０は、アーム２０の矢印Ｐで示される方向への回動を許容するが、矢印Ｑで示される方向への回動を阻止する。この場合、アーム２０を一旦、矢印Ｐで示される方向へ回動させると、その変更された回動角度から矢印Ｑで示される逆の方向へ回動させることができないので、矢印Ｐで示される方向へ回動させるごとに所望の角度位置で固定することができる。したがって、アーム２０を矢印Ｐで示される方向へ回動させて無段階で回動角度を調整して固定することができる。
【００４８】
また、この発明に従った回動角度調整装置１は上述のように構成されているので、アーム角度規制部材４０の係止溝４３にラッチ５０の第１の係止爪部５２を係合させてラッチ５０を矢印Ｐで示される方向に回動させるとともにアーム角度規制部材４０を引張バネ６０の付勢に抗して矢印Ｑで示される逆の方向へ回動させることにより、アーム２０の曲面部分２２をアーム角度規制部材４０の曲面部分４２に当接させないようにすることができる。これにより、アーム２０をいずれの方向にも回動させることができるので、アーム２０を無段階で矢印Ｐで示される方向へ調整して固定する動作を解除することができる。
【００４９】
さらに、この発明の回動角度調整装置１では、引張バネ６０によりアーム角度規制部材４０の矢印Ｐで示される方向への回動が付勢され、係止溝４３と第１の係止爪部５２との係合によってアーム角度規制部材４０がラッチ５０を矢印Ｑで示される逆の方向へ回動させないようにフレーム７０はラッチ５０を保持している。このようにすることにより、アーム角度規制部材４０の回動にともなってラッチ５０が回動しないようにすることができ、アーム２０の回動にともなってラッチ５０が回動することができるように構成することができる。
【００５０】
この場合、この発明の回動角度調整装置１は、ラッチ５０とフレーム７０との間の摩擦力を高めるための部材としてラッチ圧接バネリング８０をさらに備えることにより、この摩擦力の作用によって、ラッチ５０がアーム角度規制部材４０の回動にともなって回動しないようにすることができ、アーム２０の回動にともなって回動することができるように構成することができる。
【００５１】
また、この発明の回動角度調整装置１においては、アーム角度規制部材４０の外周面４１は、アーム２０の矢印Ｐで示される方向への回動範囲を限定するためにアーム２０の外周面２１に当接して係止するストッパ４４と、アーム２０の矢印Ｑで示される方向への回動範囲を限定するためにアーム２０の外周面２１に当接して係止するストッパ４５とを有する。このため、アーム２０を矢印Ｐで示される方向へ回動させると、アーム角度規制部材４０のストッパ４４にアーム２０の外周面２１が当接して係止することにより、アーム２０が矢印Ｐで示される方向へある限定された範囲まで回動し、次にアーム角度規制部材４０の係止溝４３にラッチ５０の第１の係止爪部５２を係合させてラッチ５０を矢印Ｐで示される方向に回動させることができる。これにより、アーム角度規制部材４０を引張バネ６０の付勢に抗して矢印Ｑで示される方向へ回動させることができる。一方、ストッパ４５により、アーム２０は矢印Ｑで示される方向へある限定された範囲を越えて回動しないようにすることができる。
【００５２】
さらに、この発明の回動角度調整装置１においては、アーム２０の曲面部分２２に引張バネ６０の付勢によりアーム角度規制部材４０の曲面部分４２を当接させるために、アーム角度規制部材４０を矢印Ｐで示される方向へ回動させ、かつ、アーム２０の曲面部分２２をアーム角度規制部材４０の曲面部分４２に当接させないようにするために、アーム角度規制部材４０を引張バネ６０の付勢に抗して矢印Ｑで示される方向へ回動させるためのレバー９０がアーム角度規制部材４０に取り付けられている。このため、レバー９０を用いて、アーム２０を矢印Ｐで示される方向へ回動させて無段階で調整して固定することができる状態と、この状態を解除し、アーム２０をいずれの方向にも回動させることができる状態との切り換えを容易に行うことができる。
【００５３】
なお、この発明の回動角度調整装置１においては、アーム２０の曲面部分２２には、曲面部分２２に沿って複数の歯部２３が配列されて形成されているので、アーム２０の曲面部分２２がアーム角度規制部材４０の曲面部分４２に当接した状態を強固に保持することができる。
【００５４】
一つの例として、以上のように構成された回動角度調整装置１を図１２に示されるような座椅子２の回動部に適用することができる。
【００５５】
この適用例では、図１２に示されるように座部１００と背もたれ部２００とを備えた座椅子２において、棒体１０（図１）の周りに回動可能に配置され、この回動方向に沿った外周面２１を有するアーム２０を背もたれ部２００に取り付け、棒体３０と、棒体３０の周りに回動可能に配置され、この回動方向に沿った外周面４１を有するアーム角度規制部材４０と、棒体１０の周りに回動可能に配置され、この回動方向に沿った外周面５１を有するラッチ５０とを設け、棒体１０と棒体３０とを支持するフレーム７０を座部１００に取り付け、アーム角度規制部材４０の矢印Ｐで示される方向への回動を付勢するようにフレーム７０とアーム角度規制部材４０との間に取り付けられた引張バネ６０とを設けることにより構成される。必要に応じて、ラッチ圧接バネリング８０をアーム２０とラッチ５０との間に配置し、レバー９０を取り付けてもよい。
【００５６】
この発明の座椅子においては、背もたれ部を矢印Ｐで示される方向へ回動させて無段階で回動角度を調整して固定することができる。
【００５７】
なお、上記の実施の形態では、本発明の回動角度調整装置の適用例として座椅子の座部と背もたれ部との間の開閉角度を調整するために用いた例を示したが、これに限定されるものではない。本発明の回動角度調整装置は、折り曲げ動作、開閉動作、回動角度の調整動作を伴う種々の機械、器具、装置等に適用することができる。
【００５８】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００５９】
【図１】本発明の一つの実施の形態として回動角度調整装置を示す分解斜視図である。
【図２】本発明の一つの実施の形態として回動角度調整装置における第１と第２の可動部材の曲面部分の形状を示す側面図である。
【図３】本発明の一つの実施の形態として回動角度調整装置の機構を示す側面図である。
【図４】本発明の一つの実施の形態として回動角度調整装置を示す平面図である。
【図５】本発明の一つの実施の形態として回動角度調整装置の機構における第１の動作を示す側面図である。
【図６】本発明の一つの実施の形態として回動角度調整装置の機構における第２の動作を示す側面図である。
【図７】本発明の一つの実施の形態として回動角度調整装置の機構において第３の動作を示す側面図である。
【図８】本発明の一つの実施の形態として回動角度調整装置の機構における第４の動作を示す側面図である。
【図９】本発明の一つの実施の形態として回動角度調整装置の機構における第５の動作を示す側面図である。
【図１０】本発明の一つの実施の形態として回動角度調整装置の機構における第６の動作を示す側面図である。
【図１１】本発明の一つの実施の形態として回動角度調整装置の機構における第７の動作を示す側面図である。
【図１２】従来の一般的な座椅子を示す斜視図である。
【符号の説明】
【００６０】
１：回動角度調整装置、１０，３０：棒体、１１：軸線、２０：アーム、２１：外周面、２２：曲面部分、２３：歯部、３１：軸線、４０：アーム角度規制部材、４１：外周面、４２：曲面部分、４３：係止溝、４４：ストッパ、４５：ストッパ、５０：ラッチ、５１：外周面、５２：第１の係止爪部、５３：第２の係止爪部、５４：摩擦部、６０：引張バネ、７０：フレーム、８０：ラッチ圧接バネリング、９０：レバー。
【図１】
2006322467.tif 000003
【図２】
2006322467.tif 000004
【図３】
2006322467.tif 000005
【図４】
2006322467.tif 000006
【図５】
2006322467.tif 000007
【図６】
2006322467.tif 000008
【図７】
2006322467.tif 000009
【図８】
2006322467.tif 000010
【図９】
2006322467.tif 000011
【図１０】
2006322467.tif 000012
【図１１】
2006322467.tif 000013
【図１２】
2006322467.tif 000014